(57)【要約】【課題】個人認証に利用するＩＣカードのコストを軽減する。【解決手段】本発明に係る個人認証システム（１０１）は、複数のユーザの生体情報を単一のＩＣカードに登録するカード登録装置（１１）と、個人認証を行うべきユーザの生体情報を取得し、該取得した生体情報を前記ＩＣカードの前記生体情報と比較し、該比較の結果、前記ユーザの前記生体情報が前記ＩＣカードの何れかのユーザの生体情報と一致するとき、当該ユーザを真正なユーザと判定する個人認証装置（１２）とを備える。【選択図】　　　　図１
2004070778.tif 000002
【特許請求の範囲】
【請求項１】
ＩＣカードを利用するユーザが真正なユーザであるか否かを判定する個人認証を行う個人認証方法であって、
複数のユーザの生体情報を単一のＩＣカードに登録すること、
前記個人認証を行うべきユーザの生体情報を取得すること、
前記取得した生体情報を前記ＩＣカードの前記生体情報と比較すること、
および、
前記比較の結果、前記ユーザの前記生体情報が前記ＩＣカードの何れかのユーザの生体情報と一致するとき、当該ユーザを真正なユーザと判定することを特徴とする個人認証方法。
【請求項２】
ＩＣカードを利用するユーザが真正なユーザであるか否かを判定する個人認証を行う個人認証システムであって、
複数のユーザの生体情報を単一のＩＣカードに登録するカード登録装置と、
前記個人認証を行うべきユーザの生体情報を取得し、該取得した生体情報を前記ＩＣカードの前記生体情報と比較し、該比較の結果、前記ユーザの前記生体情報が前記ＩＣカードの何れかのユーザの生体情報と一致するとき、当該ユーザを真正なユーザと判定する個人認証装置とを備えることを特徴とする個人認証システム。
【請求項３】
さらに、前記ＩＣカードに登録されていない生体情報であって当該ＩＣカードに生体情報を登録されたユーザに関連するユーザの生体情報を、当該ＩＣカードを識別するカード識別情報に対応付けて保持する生体情報管理装置を備え、
前記個人認証装置は、前記比較の結果、前記ユーザの前記生体情報が前記ＩＣカードの前記生体情報に一致しないとき、前記ユーザの前記生体情報を前記カード識別情報と共に前記生体情報管理装置に供給し、
前記生体情報管理装置は、前記供給された生体情報と、予め保持する前記生体情報のうちの前記カード識別情報に対応する生体情報とを比較し、該比較の結果を前記個人認証装置へ供給し、
前記個人認証装置は、前記供給された比較の結果に基づいて、当該ユーザの個人認証を行う請求項２記載の個人認証システム。
【請求項４】
前記ＩＣカードは、複数のユーザの生体情報を保持する集積回路を備える請求項２記載の個人認証システム。
【請求項５】
前記ＩＣカードの前記集積回路に保持される前記生体情報は、前記複数のユーザのそれぞれの虹彩に関する情報である請求項４記載のＩＣカード。
【請求項６】
ＩＣカードを利用するユーザが真正なユーザであるか否かを判定する個人認証を行う個人認証装置であって、
複数のユーザの生体情報が登録された単一のＩＣカードから当該生体情報を読み取るカード読取部と、
前記個人認証を行うべきユーザの生体情報を取得する生体情報取得部と、
前記カード読取部で読み取った生体情報を前記生体情報取得部で取得した生体情報と比較する生体情報比較部とを備え、
前記生体情報比較部は、前記個人認証を行うべき前記ユーザの前記生体情報が前記ＩＣカードの何れかのユーザの生体情報に一致するとき、前記個人認証を行うべき前記ユーザを真正なユーザと判定することを特徴とする個人認証装置。
【請求項７】
さらに、前記ＩＣカードに登録されていない生体情報であって当該ＩＣカードに生体情報を登録されたユーザに関連するユーザの生体情報を、当該ＩＣカードに対応付けて格納する生体情報格納部を備え、
前記生体情報比較部は、前記ユーザの前記生体情報が前記ＩＣカードの前記生体情報に一致しないとき、前記生体情報格納部から当該ＩＣカードに対応する前記生体情報を取得し、該取得した生体情報と前記ユーザの生体情報とが一致するとき当該ユーザを真正なユーザと判定する請求項６記載の個人認証装置。
【請求項８】
複数のユーザのそれぞれから当該各ユーザの生体情報を取得する生体情報取得部と、
前記生体情報取得部で取得した前記複数のユーザの生体情報を単一のＩＣカードに書き込むカード書込部とを備えることを特徴とするカード登録装置。
【発明の詳細な説明】
【０００１】
【発明の属する技術分野】
本発明は、ＩＣカードを利用するユーザを個人認証する方法および該方法を実現するためのシステムに関し、特に、アイリス（虹彩）情報あるいは指紋情報のような生体情報を利用した個人認証方法およびシステムに関する。
【０００２】
【従来の技術】
従来、ＩＣカードを利用するユーザの真正性を判定する個人認証に、当該ユーザのアイリスあるいは指紋等を表す画像を符号化してなる生体情報が用いられている。
【０００３】
生体情報を利用した個人認証は、例えば、会社の特定の部署の社員にのみ入室が許可されている資料室のような機密性の高い部屋の管理に適用される。この場合、あらかじめ前記部署の各社員に、入室に先立つ個人認証に使用するＩＣカードが支給される。前記ＩＣカードには、該カードを保有する社員自身の生体情報が登録されており、当該カードは登録されている社員の専用のカードとなる。
【０００４】
前記した例における個人認証では、ＩＣカードを利用する者から取得した生体情報と当該カードの生体情報とが比較され、両者が一致したとき、当該利用者は入室を許可されている社員であると判定される。従って、たとえ前記ＩＣカードを不正に入手した者が入室を試みても、その者の生体情報は当該カードのそれと一致せず、入室は許可されない。
【０００５】
【発明が解決しようとする課題】
ところで、前記したようなＩＣカードは、カード１枚につき１人分の生体情報が登録されることから、前記した資料室の入室管理にあたっては、当該部署の全員がカードを保有するように前記ＩＣカードが用意される。
【０００６】
しかしながら、前記ＩＣカードは各社員の利用頻度にかかわらず用意されることから、資料室を利用することがない社員に対しても、当該社員専用のＩＣカードが支給される。従って、特定の部署内の全員にＩＣカードを支給することは、会社にとって無駄な出費となるおそれがある。
また、ＩＣカードを支給された各社員は、当該カードの利用の有無に拘わらず、カードの紛失や破損を招かないように各自で適正に管理することを要求される。
【０００７】
本発明は、前記した課題に鑑みてなされたものであり、複数のユーザに対する個人認証にあたり、該個人認証のためのＩＣカードを経済的かつ利便性よく運用することができる個人認証方法および個人認証システムを提供することを目的とする。
【０００８】
【課題を解決するための手段】
本発明は、以上の点を解決するために、次の構成を採用する。
〈構成１〉
本発明に係る個人認証方法は、ＩＣカードを利用するユーザが真正なユーザであるか否かを判定する個人認証を行う個人認証方法であって、複数のユーザの生体情報を単一のＩＣカードに登録すること、前記個人認証を行うべきユーザの生体情報を取得すること、前記取得した生体情報を前記ＩＣカードの前記生体情報と比較すること、および、前記比較の結果、前記ユーザの前記生体情報が前記ＩＣカードの何れかのユーザの生体情報と一致するとき、当該ユーザを真正なユーザと判定することを含む。
【０００９】
〈構成２〉
本発明に係る個人認証システムは、ＩＣカードを利用するユーザが真正なユーザであるか否かを判定する個人認証を行う個人認証システムであって、複数のユーザの生体情報を単一のＩＣカードに登録するカード登録装置と、前記個人認証を行うべきユーザの生体情報を取得し、該取得した生体情報を前記ＩＣカードの前記生体情報と比較し、該比較の結果、前記ユーザの前記生体情報が前記ＩＣカードの何れかのユーザの生体情報と一致するとき、当該ユーザを真正なユーザと判定する個人認証装置とを備える。
【００１０】
本発明に係る個人認証システムに、さらに、前記ＩＣカードに登録されていない生体情報であって当該ＩＣカードに生体情報を登録されたユーザに関連するユーザの生体情報を、当該ＩＣカードを識別するカード識別情報に対応付けて保持する生体情報管理装置を備えることができる。その場合、前記個人認証装置は、前記比較の結果、前記ユーザの前記生体情報が前記ＩＣカードの前記生体情報に一致しないとき、前記ユーザの前記生体情報を前記カード識別情報と共に前記生体情報管理装置に供給し、前記生体情報管理装置は、前記供給された生体情報と、予め保持する前記生体情報のうちの前記カード識別情報に対応する生体情報とを比較し、該比較の結果を前記個人認証装置へ供給し、前記個人認証装置は、前記供給された比較の結果に基づいて、当該ユーザの個人認証を行う。
【００１１】
また、前記ＩＣカードに、複数のユーザの生体情報を保持する集積回路を備えることができ、前記生体情報として、前記複数のユーザのそれぞれの虹彩に関する情報を採用することができる。
【００１２】
〈構成３〉
本発明に係る個人認証装置は、ＩＣカードを利用するユーザが真正なユーザであるか否かを判定する個人認証を行う個人認証装置であって、複数のユーザの生体情報が登録された単一のＩＣカードから当該生体情報を読み取るカード読取部と、前記個人認証を行うべきユーザの生体情報を取得する生体情報取得部と、前記カード読取部で読み取った生体情報を前記生体情報取得部で取得した生体情報と比較する生体情報比較部とを備え、前記生体情報比較部は、前記個人認証を行うべき前記ユーザの前記生体情報が前記ＩＣカードの何れかのユーザの生体情報に一致するとき、前記個人認証を行うべき前記ユーザを真正なユーザと判定する。
【００１３】
本発明に係る個人認証装置に、さらに、前記ＩＣカードに登録されていない生体情報であって当該ＩＣカードに生体情報を登録されたユーザに関連するユーザの生体情報を、当該ＩＣカードに対応付けて格納する生体情報格納部を備えることができる。その場合、前記生体情報比較部は、前記ユーザの前記生体情報が前記ＩＣカードの前記生体情報に一致しないとき、前記生体情報格納部から当該ＩＣカードに対応する前記生体情報を取得し、該取得した生体情報と前記ユーザの生体情報とが一致するとき当該ユーザを真正なユーザと判定する。
【００１４】
〈構成４〉
本発明に係るカード登録装置は、複数のユーザのそれぞれから当該各ユーザの生体情報を取得する生体情報取得部と、前記生体情報取得部で取得した前記複数のユーザの生体情報を単一のＩＣカードに書き込むカード書込部とを備える。
【００１５】
【発明の実施の形態】
以下、本発明の実施の形態を具体例を用いて説明する。
〈具体例１〉
図１は、本発明に係る個人認証システムの具体例１の構成を示すブロック図である。本具体例では、個人認証システム１０１が会社内の資料室の入室管理に適用される例を示し、前記資料室は、機密性が高く、特定の部署に所属する社員に限り入室が許可されているものとする。
【００１６】
具体例１の個人認証システム１０１は、図１に示すように、後述するＩＣカード１０に生体情報を登録するカード登録装置１１と、ＩＣカード１０を利用して資料室への入室を試みる社員の個人認証を行う個人認証装置１２とを備える。本具体例では、ＩＣカード１０に登録する生体情報として、社員のアイリス（虹彩）情報を採用する。
【００１７】
カード登録装置１１は、複数の社員のそれぞれからアイリス情報を取得する生体情報取得部１３と、該生体情報取得部で取得した複数の社員のアイリス情報を単一のＩＣカード１０に書き込むＩＣカードライタ１４とを有する。生体情報取得部１３には、各社員のアイリス情報を取得するための図示しないアイリス撮影カメラおよび画像解析装置等が含まれる。
【００１８】
図２に、本具体例で取り扱われるＩＣカード１０を示す。
ＩＣカード１０には、演算機能およびメモリ機能等を有するＩＣチップ１０ａが搭載されており、このＩＣチップ１０ａに社員のアイリス情報が格納される。前記ＩＣカード１０への生体情報の登録形態は、本発明の特徴を最もよく表すものであり、従来、１枚のＩＣカードに１人分の生体情報が登録されたのに対し、本具体例では、１枚のＩＣカード１０に当該部署の全員の生体情報が登録される。
【００１９】
図３に、ＩＣカード１０のＩＣチップ１０ａに格納された情報の一覧を示す。図示の例では、社員の部署を識別する「グループＩＤ」と、各社員を識別する「ユーザＩＤ」と、該ユーザＩＤ毎に対応付けられた生体情報である「アイリス情報」とが示されている。
【００２０】
本具体例のＩＣカード１０には、前記した特定の部署に所属する全員分の情報が登録されることから、図３における「グループＩＤ」には、当該部署を識別するための「Ａ００１」が、全てのユーザＩＤに対して同様に付与される。
なお、「ユーザＩＤ」は、例えば資料室を利用した社員の履歴を効率的に取得することに利用できるが、本発明においては当該ユーザＩＤの設定を不要とすることもできる。
【００２１】
他方、個人認証装置１２は、図１に示すように、ＩＣカード１０を利用して資料室への入室を試みる社員のアイリス情報を取得する生体情報取得部１５と、当該社員が持参したＩＣカード１０からアイリス情報を読み取るＩＣカードリーダ１６と、生体情報取得部１５で取得した当該社員のアイリス情報をＩＣカードリーダ１６で読み取ったアイリス情報と比較する生体情報比較部１７とを有する。生体情報取得部１５には、前記したカード登録装置１１の生体情報取得部１３と同様にアイリス撮影カメラ等が含まれる。
【００２２】
個人認証装置１２の動作を、図４に示すフローチャートに沿って説明する。
ＩＣカードリーダ１６は、入室を試みる社員からＩＣカード１０を提供されたとき、当該ＩＣカード１０から該カードに格納されている全ての情報を読み出し（ステップＳ１）、これを生体情報比較部１７へ供給する。
生体情報取得部１５は、前記社員から該社員のアイリス情報を取得し（ステップＳ２）、これを生体情報比較部１７へ供給する。
【００２３】
生体情報比較部１７は、ＩＣカード１０のアイリス情報の中に、当該社員のアイリス情報に一致するものがあるか否かを検証すべく、生体情報取得部１５およびＩＣカードリーダ１６のそれぞれから供給されたアイリス情報を比較する（ステップＳ３）。
【００２４】
生体情報比較部１７による前記した比較の結果、ＩＣカード１０のアイリス情報の中から前記社員のアイリス情報に一致するものがあれば、認証は成功、すなわち当該社員は資料室への入室を許可されている真正な社員であると認められる（ステップＳ４、Ｓ５）。前記社員の認証が成功した場合、例えば資料室の入口が自動的に開錠され、当該社員の入室が可能となる。
また、ＩＣカード１０のアイリス情報の中に前記社員のアイリス情報に一致するものが無い場合は、認証は失敗となり、当該社員の入室は許可されない（ステップＳ４、Ｓ６）。
【００２５】
具体例１の個人認証システム１０１によれば、１枚のＩＣカード１０に、前記特定の部署の全員のアイリス情報が登録されることから、少なくとも１枚のＩＣカード１０を用意すれば、当該カードを全員で共用することができる。
従って、入室管理にあたっては、ＩＣカードを当該部署の全員に支給する必要はなく、これによりＩＣカードのためのコストを低減することができる。また、各社員が各自の専用のカードを保有しないことから、ＩＣカードを管理する手間が軽減される。
【００２６】
〈具体例２〉
図５は、本発明に係る個人認証システムの具体例２の構成を示すブロック図である。図５に示すように、具体例２の個人認証システム１０２では、カード登録装置１１および個人認証装置１２が相互に通信可能に接続されている。
具体例２の個人認証装置１２は、具体例１の個人認証装置１２における前記した構成の他に、追加生体情報格納部１８を備える。
【００２７】
追加生体情報格納部１８は、ＩＣカード１０に関連する特定の部署に新規に加わった社員のように、そのアイリス情報が未だＩＣカード１０に登録されていない社員のアイリス情報を保持する。追加生体情報格納部１８では、少なくとも、新規に登録すべき社員の所属を表す「グループＩＤ」と、当該社員の「アイリス情報」とが相互に対応付けられて格納される。
【００２８】
ＩＣカード１０に未だ登録されていないアイリス情報は、本具体例では、当該アイリス情報を取得したカード登録装置１１からの通信により個人認証装置１２に供給される。個人認証装置１２では、供給されたアイリス情報を追加生体情報格納部１８に保持する期間を適宜設定することができる。
【００２９】
追加生体情報格納部１８は、前記したような新規の社員の個人認証に先立って、予めカード登録装置１１から当該社員のアイリス情報を取得し、前記個人認証時に、生体情報比較部１７からの要請に応じた「グループＩＤ」の「アイリス情報」を、当該生体情報比較部１７に供給する。
【００３０】
具体例２の個人認証装置１２の動作を図６のフローチャートに沿って説明する。
なお、ＩＣカード１０から全員の情報を読み取るステップＳ１１から、読み取ったアイリス情報とカード利用者のアイリス情報とを比較し（ステップＳ１３）、認証が成功するステップＳ１５までの一連の手順は、前記した具体例１のステップＳ１〜Ｓ５の手順と同様であるので、説明を省略する。
【００３１】
個人認証装置１２は、ＩＣカード１０から読み取ったアイリス情報の中に、カード利用者のアイリス情報と一致するものが無い場合、当該ＩＣカード１０から読み取ったグループＩＤに対応したアイリス情報を追加生体情報格納部１８から取得し、該取得したアイリス情報と当該利用者のアイリス情報とを比較する（ステップＳ１６）。
【００３２】
前記ステップＳ１６での比較の結果、前記利用者のアイリス情報が、追加生体情報格納部１８からのアイリス情報に一致した場合、当該利用者の認証は成功となる（ステップＳ１７、Ｓ１５）。すなわち当該利用者は、ＩＣカード１０に未登録ではあるが、入室を認められている社員であると判定される。
【００３３】
また、前記比較の結果、前記利用者のアイリス情報が、追加生体情報格納部１８からのアイリス情報に一致しない場合、当該利用者の認証は失敗となる（ステップＳ１７、Ｓ１８）。
【００３４】
具体例２の個人認証システム１０２によれば、具体例１の個人認証システム１０１による効果と同様な効果を奏することができ、さらに、特定の部署に新たに所属した社員であっても、あらかじめ追加生体情報格納部１８に当該社員のアイリス情報が格納されることから、当該社員は、自己が登録されていないＩＣカード１０を用いて、個人認証装置１２の個人認証を受けることができる。
【００３５】
追加生体情報格納部１８を設けることは、例えば、一時的に勤務する社員を頻繁に取り扱う部署などに有用であり、前記したような社員の情報を追加生体情報格納部１８へ一時的に登録することにより、それらの社員のアイリス情報をその都度ＩＣカード１０に登録し、削除するといった煩雑な作業を要することなく、当該ＩＣカード１０を運用することができる。
【００３６】
追加生体情報格納部１８は、アイリス情報の一時的な登録を目的として設けられていることから、例えば新規社員のアイリス情報を登録してから所定期間が経過したとき、当該アイリス情報をＩＣカード１０に正式に登録すると共に、当該情報を追加生体情報格納部１８から削除するように設定することができる。その場合、当該アイリス情報の複製を予めカード登録装置１１に保持し、これをＩＣカード１０に登録する、あるいは、削除に先立って、対象となるアイリス情報をカード登録装置１１に返送する等の設定を行う。
【００３７】
〈具体例３〉
図７は、本発明に係る個人認証システムの具体例３の構成を示すブロック図である。具体例３の個人認証システム１０３は、前記した具体例２の個人認証システム１０２と同様に、未だＩＣカード１０に登録されていない新規の社員の個人認証を考慮したシステムであり、その構成は、具体例１の個人認証システム１０１の構成に、生体情報管理装置となる追加情報管理装置１９が付加されたものである。
【００３８】
追加情報管理装置１９は、図７に示すように、カード登録装置１１および個人認証装置１２に通信可能に接続され、前記した具体例２で説明した追加生体情報格納部１８と同様な機能を果たす追加生体情報格納部２０と、該追加生体情報格納部のアイリス情報と個人認証装置１２から供給されるアイリス情報とを比較する生体情報比較部２１とを備える。
【００３９】
追加情報管理装置１９は、新規の社員のアイリス情報をカード登録装置１１からの通信により取得し、その後の個人認証装置１２における当該社員の個人認証時に、当該社員のアイリス情報と、カード認識情報すなわち当該社員が利用するＩＣカード１０から読み出されたグループＩＤとを個人認証装置１２から受ける。
【００４０】
個人認証システム１０３の動作を図８のフローチャートに沿って説明する。
図８に示すステップＳ２１〜Ｓ２５の一連の手順は、前記した具体例１のステップＳ１〜Ｓ５と同様であり、当該ステップに沿った手順の説明を省略する。
【００４１】
個人認証装置１２は、ＩＣカード１０から読み出したアイリス情報の中に、当該ＩＣカード１０を利用する社員のアイリス情報に一致するものが無い場合（ステップＳ２４）、前記ＩＣカード１０のグループＩＤおよび当該社員から取得したアイリス情報を、通信により追加情報管理装置１９へ供給する。
【００４２】
追加情報管理装置１９は、追加生体情報格納部２０から、個人認証装置１２からの前記グループＩＤに対応するアイリス情報を抽出すると共に、これを生体情報比較部２１へ供給する。このように、グループＩＤが供給されることにより、抽出すべきアイリス情報の検索が容易となる。
【００４３】
追加情報管理装置１９は、さらに、生体情報比較部２１で、追加生体情報格納部２０のアイリス情報と、個人認証装置１２からのアイリス情報とを比較する（ステップＳ２６）。この比較の結果は、追加情報管理装置１９からの通信により個人認証装置１２へ供給される。
【００４４】
個人認証装置１２は、前記比較により、追加生体情報格納部２０のアイリス情報が前記社員のアイリス情報に一致したとの結果を得た場合、当該社員の認証は成功とし（ステップＳ２７、Ｓ２５）、一致しない場合、その認証は失敗とする（ステップＳ２７、Ｓ２８）。
【００４５】
具体例３の個人認証システム１０３によれば、具体例１の個人認証システム１０１による効果と同様な効果を得ることができ、さらに、特定の部署に新たに所属した社員であっても、あらかじめ追加情報管理装置１９に当該社員のアイリス情報が格納されることから、当該社員は、自己が登録されていないＩＣカード１０を用いて、個人認証装置１２の個人認証を受けることができる。
【００４６】
具体例３のように、新規の社員に関する情報を保持する追加情報管理装置１９を、個人認証システム１０３の各装置に並列的に設けることにより、例えば、個人認証装置１２が複数存在する場合に、各個人認証装置１２に相異なる新規社員のアイリス情報が散在することなく、追加情報管理装置１９で一括的に管理することができる。これにより、個人認証時のアイリス情報の比較を適正に行うことができる。
【００４７】
前記した具体例３では、追加生体情報格納部２０および生体情報比較部２１を追加情報管理装置１９に備えた例を示したが、この追加情報管理装置１９を設けることに代えて、追加生体情報格納部２０および生体情報比較部２１と同様な機能を果たす構成部分を、単一のカード登録装置１１に設けるようにすることができる。その場合、個人認証装置１２は、新規社員に関する個人認証の結果を前記カード登録装置１１から供給される。
【００４８】
前記した具体例では、本発明に係る個人認証システムが会社の資料室の入室管理に適用された例を示したが、この他に、例えば、家族で利用する健康保険証をＩＣカード化し、各医療機関に本発明に係る個人認証システムを適用することができる。これにより、従来どおりに家族での保険証の共用を可能としつつ、保険証の管理には従来よりも高いセキュリティを確保することができる。
【００４９】
前記した具体例では、生体情報としてアイリス情報が用いられたが、これに代えて、例えば指紋情報、声紋情報、あるいは顔情報等、種々の生体情報を採用することができる。
【００５０】
【発明の効果】
本発明に係る個人認証方法および個人認証システムによれば、単一のＩＣカードに複数のユーザの生体情報が登録されることから、当該ＩＣカードを複数のユーザで共用することができる。これにより、複数のユーザに対する個人認証を行うにあたり、各ユーザの専用のＩＣカードを用意する必要はなくなることから、ＩＣカードに関する費用を低減することができる。また、当該ＩＣカードをユーザが各自で管理する手間が軽減される。
【図面の簡単な説明】
【図１】本発明に係る個人認証システムの具体例１の構成を示すブロック図である。
【図２】具体例のＩＣカードの構成図である。
【図３】具体例のＩＣカードの情報を説明するための説明図である。
【図４】具体例１の個人認証装置の動作を説明するためのフローチャートである。
【図５】本発明に係る個人認証システムの具体例２の構成を示すブロック図である。
【図６】具体例２の個人認証装置の動作を説明するためのフローチャートである。
【図７】本発明に係る個人認証システムの具体例３の構成を示すブロック図である。
【図８】具体例３の個人認証システムの動作を説明するためのフローチャートである。
【符号の説明】
１０１〜１０３　個人認証システム
１１　カード登録装置
１２　個人認証装置
１３　生体情報取得部
１４　ＩＣカードライタ
１５　生体情報取得部
１６　ＩＣカードリーダ
１７　生体情報比較部
【図１】
2004070778.tif 000003
【図２】
2004070778.tif 000004
【図３】
2004070778.tif 000005
【図４】
2004070778.tif 000006
【図５】
2004070778.tif 000007
【図６】
2004070778.tif 000008
【図７】
2004070778.tif 000009
【図８】
2004070778.tif 000010